(57)【要約】【課題】本体が複数の外装部材で覆われた撮像装置において外装部材間の隙間や段差を低減することができる撮像装置を提供する。【解決手段】カメラ本体１００に直交する３方向において位置決め及び固定された上カバー１０３に、前カバー１０１と背面カバー１０２を上カバー１０３に対して前記３方向において位置決めした状態でカメラ本体１００に固定する。【選択図】図１
2011053236.tif 000002
【特許請求の範囲】
【請求項１】
本体部材と
前記本体部材の一部を覆うものであって、前記本体部材に対して位置決めされて、前記本体部材に固定される第１の外装部材と、
前記本体部材に対して位置決めされることなく、前記第１の外装部材に位置決めされ、前記第１の外装部材を介して前記本体部材に固定される第２の外装部材とを有することを特徴とする電子機器。
【請求項２】
前記本体部材に対して前記第１の外装部材を位置決めする第１の位置決め部は、前記第１の外装部材に対して前記第２の外装部材を位置決めする際に、前記第２の外装部材によって覆われることを特徴とする請求項１に記載の電子機器。
【発明の詳細な説明】
【技術分野】
【０００１】
本発明は、撮像装置に関する。
【背景技術】
【０００２】
カメラは、被写体を撮像する撮影レンズと被写体像を光電変換する撮像素子を収納するカメラ本体と、カメラ本体を覆って保護する複数の外装部材から構成されている。外装部材間の隙間や段差を低減することは、防塵性や防水性を高めてカメラ本体を保護したり、撮影時の操作性を維持したり、携帯時の外装部材の損傷を防ぐ上で重要である。この点、特許文献１は、第１の外装部材に固着された板金の一部を第２の外装部材の嵌合部に嵌合させることにより、第１の外装部材を第２の外装部材に取り付ける取付構造を提案している。
【先行技術文献】
【特許文献】
【０００３】
【特許文献１】特開平０６−２３０６２２号公報
【発明の概要】
【発明が解決しようとする課題】
【０００４】
しかしながら、特許文献１では、板金の加工精度が低下すれば、第１の外装部材と第２の外装部材の位置決め精度が低下するという問題が発生する。
【０００５】
本発明は、本体部材が複数の外装部材で覆われた撮像装置において外装部材間の隙間や段差を低減することができる電子機器を提供することを例示的な目的とする。
【課題を解決するための手段】
【０００６】
本発明の一側面としての電子機器は、本体部材と前記本体部材の一部を覆うものであって、前記本体部材に対して位置決めされて、前記本体部材に固定される第１の外装部材と、前記本体部材に対して位置決めされることなく、前記第１の外装部材に位置決めされ、前記第１の外装部材を介して前記本体部材に固定される第２の外装部材とを有することを特徴とする。
【発明の効果】
【０００７】
本発明は、本体部材が複数の外装部材で覆われた撮像装置において外装部材間の隙間や段差を低減することができる撮像装置を提供することができる。
【図面の簡単な説明】
【０００８】
【図１】図１（ａ）は本実施例のカメラ（撮像装置）を前側から見た分解斜視図であり、図１（ｂ）及び図１（ｃ）はその一部拡大斜視図である。
【図２】本実施例のカメラを後側から見た分解斜視図である。
【図３】図３（ａ）は図１に示すカメラの組立状態の斜視図であり、図３（ｂ）は図２に示すカメラの組立状態の斜視図である。
【発明を実施するための形態】
【０００９】
図１（ａ）は、本実施例の電子機器の一例であるデジタル一眼レフカメラ（以下、単に「カメラ」と称する）の前側から見た分解斜視図である。図１（ａ）においては、カメラの光軸に平行な方向（カメラの奥行き方向）をＺ軸方向、カメラの上下方向（高さ方向）をＹ軸方向、カメラの左右方向（幅方向）をＸ軸方向に設定する。図１（ａ）は各軸の正方向も設定している。Ｘ軸方向、Ｙ軸方向及びＺ軸方向は互いに直交する３方向を構成している。
【００１０】
図２は、カメラを後側から見た分解斜視図である。図２においても、図１（ａ）と同様の座標系が規定されている。図１及び図２は、撮影レンズユニットを外した状態を示している。
【００１１】
カメラは、カメラ本体１００（本体部材）と、カメラ本体１００を覆って保護する複数の外装部材とを有する。本実施例の複数の外装部材は、前カバー１０１、背面カバー１０２、上カバー１０３から構成されるが、底面カバーなど複数の外装部材の種類と数は限定されない。また、本実施例では、上カバー１０３は複数の外装部材のうち、カメラ本体１００に対して位置決めされる第１の外装部材）であり、前カバー１０１と背面カバー１０２は上カバー１０３に対して位置決めされる第２の外装部材である。
【００１２】
カメラ本体１００は、図１に示すように、被写体を撮影するための不図示の撮影レンズユニットと、被写体像を光電変換する不図示の撮像素子と、ミラーボックス１０４と、不図示の電池を収納する電池ボックス１０６と、を収納するシャーシ部材１０５を有する。撮像素子は光軸に垂直に配置されており、撮像素子の面内方向はＸＹ方向となる。
【００１３】
ミラーボックス１０４には撮影レンズを通過した撮影光束が入射する。ミラーボックス１０４は、撮影光束をファインダユニットのペンタダハミラー１４５に導く位置と不図示の撮像素子に導くために光路から退避した位置との間で移動可能なミラー１０４ａが設けられている。また、ミラーボックス１０４には、着脱可能な撮影レンズユニットをカメラ本体１００にマウントするマウント部１９０が前側に固定されている。
【００１４】
ミラーボックス１０４は、光軸方向に垂直で前側に配置された面１０４ｂ及び１０４ｃを有するフレームを備え、また、マウント部１９０の後方上部に一対の位置決め部を有する。なお、本実施例では、マウント部１９０の後方上部に一対の位置決め部を設けているが、その数は特に限定されない。本実施例では、これら一対の位置決め部と上カバー１０３の位置決め部１１２及び１１３は、上カバー１０３をカメラ本体１００に係合することによって上カバー１０３を直交する３方向でカメラ本体１００に位置決めする第１位置決め手段として機能する。
【００１５】
一方の位置決め部は固定部１１０とＬ字部材１３９ａから構成され、図１（ｂ）にはその拡大斜視図が示されている。他方の位置決め部は固定部１１１とＬ字部材１３９ｂから構成されている。
【００１６】
固定部１１０及び１１１は中空円盤形状を有し、固定部１１０は面１０４ｂに固定され、固定部１１０は面１０４ｃに固定されている。固定部１１０及び１１１は、それぞれネジ穴１１０ａ及び１１１ａを中央に有すると共に、位置決め面１１０ｂ及び１１１ｂを有する。位置決め面１１０ｂ及び１１１ｂは同一平面の一部を構成するＸＹ平面であり、後述する上カバー１０３の位置決め面１１２ｂ及び１１３ｂと接触する。
【００１７】
Ｌ字部材１３９ａは、固定部１１０の前方に設けられ、位置決め面１４０ａ及び１４０ｃを有する。Ｌ字部材１３９ｂは、固定部１１１の前方に設けられ、位置決め面１４０ｂ及び１４０ｄを有する。Ｌ字部材１３９ａのＬ字の向きとＬ字部材１３９ｂのＬ字の向きは逆方向を向いている。
【００１８】
位置決め面１４０ａ及び１４０ｂは互いに平行なＹＺ平面であり、本実施例ではＸ軸方向に整列しているが、両者はＸ軸方向においてずれていてもよい。位置決め面１４０ａ及び１４０ｂの間隔に適当な嵌め合いを加えた距離は後述する上カバー１０３の位置決め面１１２ａ及び１１３ａの間隔に等しく、これらの面と係合する。位置決め面１４０ａ及び１４０ｂは、上カバー１０３をＸ軸方向において位置決めする機能を有する。
【００１９】
位置決め面１４０ｃ及び１４０ｄは、位置決め面１４０ａ及び１４０ｂに直交する平面であり、同一平面の一部を構成する。位置決め面１４０ｃ及び１４０ｄは、上カバー１０３の位置決め部１１２及び１１３の位置決め面１１２ｃ及び１１３ｃが突き当てられて接触する面である。位置決め面１４０ｃ及び１４０ｄは、上カバー１０３をＹ軸方向において位置決めする機能を有する。
【００２０】
電池ボックス１０６はシャーシ部材１０５に固定されている。電池ボックス１０６は、前面１０６ａに、ネジ穴１０７ａを有する固定部１０７を有する。また、電池ボックス１０６の上面には中空円筒形状の位置決め部１５９ａが形成され、その上面１６０ａは位置決め面として機能する。また、位置決め部１５９ａは、中心軸に沿ったネジ穴１６０ｂを有する。ネジ穴１６０ｂには不図示のビスが締結される。かかるビスは、上カバー１０３をカメラ本体１００に固定する第１固定手段として機能する。
【００２１】
シャーシ部材１０５は、カメラ本体１００の外形を規定し、例示的に断面Ｕ字形状を有するが、上述したように、シャーシ部材１０５から底面カバーが分割されてもよい。シャーシ部材１０５は、電池ボックス１０６と反対側の上面に中空円筒形状の位置決め部１５９ｂが形成され、その上面１６０ｃは位置決め面として機能する。また、位置決め部１５９ｂは、中心軸に沿ったネジ穴１６０ｄを有する。ネジ穴１６０ｄには不図示のビスが締結される。かかるビスは、上カバー１０３をカメラ本体１００に固定する第１固定手段として機能する。
【００２２】
更に、シャーシ部材１０５は、電池ボックス１０６と反対側の前面に固定部１４３が形成され、固定部１４３の中央にはネジ穴１４３ａが形成されている。また、シャーシ部材１０５には、被写体を観察するためのファインダユニットが固定されており、図２に示すように、ファインダユニットの近傍に位置決め部１６５及び１６６を有する。
【００２３】
位置決め部１６５及び１６６は、ファインダユニットの被写体を観察するファインダ接眼窓１４６の両側に配置され、ファインダユニットのフレーム又はシャーシ部材１０５に設けられている。位置決め部１６５はビス１６８ｄが挿入されるネジ穴１６５ａを有し、位置決め部１６６はビス１６８ｅが挿入されるネジ穴１６６ａを有する。位置決め部１６５の前面１６５ｂは位置決め面として機能し、位置決め部１６６の前面１６６ｂは位置決め面として機能する。前面１６５ｂ及び１６６ｂは、図２に示す後述する上カバー１０３の位置決め部１３１ａ及び１３１ｂの位置決め面１３２ａ及び１３３ａと接触する。
【００２４】
上カバー１０３は、カメラ本体１００の上側に固定される外装部材である。上カバー１０３をカメラ本体１００に対して正確に位置決めするためには、上カバー１０３を直交する３方向（カメラの光軸方向、上下方向、左右方向）で位置決めする必要がある。従来は、特に、上カバー１０３をカメラの左右方向（Ｘ軸方向）でカメラ本体１００に対して位置決めする手段は設けられていなかった。
【００２５】
上カバー１０３は、図１に示すように、前側に、位置決め部１１２及び１１３、一対の不図示の位置決め部、長穴１２０ａ及び１２０ｂ、位置決め部１４９ａ及び１４９ｂを有する。また、上カバー１０３は、図２に示すように、後ろ側に、位置決め部１３１ａ〜１３１ｃを有する。
【００２６】
位置決め部１１２及び１１３は、上カバー１０３の前面の下部に設けられている剛性を有する。位置決め部１１２は、位置決め面１１２ａ〜１１２ｄと中央孔１１２ｅを有する。図１（ｃ）は、位置決め部１１２の拡大斜視図である。位置決め部１１３は、位置決め面１１３ａ〜１１３ｄと中央孔１１２ｅを有する。
【００２７】
位置決め面１１２ａ及び１１３ａは、位置決め部１１２及び１１３の内側側面であり、互いに平行なＹＺ平面である。位置決め面１１２ａ及び１１３ａはミラーボックス１０４の位置決め面１４０ａ及び１４０ｂと適当な嵌め合いを介して接触及び係合し、これによって上カバー１０３はカメラ本体１００に対してＸ軸方向において位置決めされる。
【００２８】
位置決め面１１２ｂ及び１１３ｂは位置決め部１１２及び１１３の背面（裏面）であり、同一平面の一部を構成するＸＹ平面である。位置決め面１１２ｂは固定部１１０の位置決め面１１０ｂに接触し、位置決め面１１３ｂは固定部１１１の位置決め面１１１ｂに接触する。これにより、上カバー１０３はカメラ本体１００に対してカメラの光軸方向（特に、−Ｚ軸方向）において位置決めされる。この部分が第１の位置決め部に相当する。
【００２９】
位置決め面１１２ｃ及び１１３ｃは位置決め部１１２及び１１３の底面であり、同一平面の一部を構成するＸＺ平面である。位置決め面１１２ｃはＬ字部材１３９ａの位置決め面１４０ｃに接触し、位置決め面１１２ｃはＬ字部材１３９ｂの位置決め面１４０ｄに接触する。これにより、上カバー１０３はカメラ本体１００に対してカメラの上下方向（特に、−Ｙ軸方向）において位置決めされる。
【００３０】
位置決め面１１２ｄ及び１１３ｄは、位置決め部１１２及び１１３の表面であり、同一平面の一部を構成するＸＹ平面である。位置決め面１１２ｄは図２に示す前カバー１０１の位置決め部１６９ａの位置決め面１７０ａに接触し、位置決め面１１３ｄは位置決め部１６９ｂの位置決め面１７０ｃに接触する。これにより、前カバー１０１は上カバー１０３に対してカメラの光軸方向（特に、−Ｚ軸方向）において位置決めされる。
【００３１】
中央孔１１２ｅ及び１１３ｅは、位置決め部１１２及び１１３の中央に設けられた貫通孔であり、内面がネジ切りされていてもよい。中央孔１１２ｅ及び１１３ｅには、図１(ａ)に示すように、ビス１６８ａ及び１６８ｂが前カバー１０１を介して挿入される。ビス１６８ａ及び１６８ｂはネジ穴１１０ａ及び１１１ａに挿入及び固定される。これによって上カバー１０３は、カメラ本体１００に対してカメラの光軸方向（特に、＋Ｚ軸方向）において位置決めされる。また、前カバー１０１は、上カバー１０３に対してカメラの光軸方向（特に、＋Ｚ軸方向）において位置決めされる。
【００３２】
一対の不図示の位置決め部は、上カバー１０３の底面のＸ軸方向の両端近傍に設けられている。これらの位置決め部は中空円盤形状を有し、一方の位置決め部は位置決め部１５９ａの上面１６０ａに接触し、他方の位置決め部は位置決め部１５９ｂ上面１６０ｃに接触する。これによって上カバー１０３は、カメラ本体１００に対してカメラの上下方向（特に、−Ｙ軸方向）において位置決めされる。その後、不図示のビスが上カバー１０３の上部から挿入されて位置決め部１５９ａのネジ穴１６０ｂと位置決め部１５９ｂのネジ穴１６０ｄに締結される。これによって上カバー１０３は、カメラ本体１００に対してカメラの上下方向（特に、＋Ｙ軸方向）において位置決めされる。
【００３３】
以上のように、上カバー１０３は、カメラ本体１００に対してＸＹＹ軸方向に正確に位置決めされた状態で、カメラ本体１００に固定される。そして、後述するように、前カバー１０１と背面カバー１０２は、カメラ本体１００に位置決めされて不図示のビス（第１固定手段）によって固定された上カバー１０３に位置決めされて固定される。
【００３４】
上カバー１０３の長穴（位置決め穴）１２０ａ及び１２０ｂは、上カバー１０３の前面１１９ａ及び１１９ｂをＺ軸方向に貫通して設けられている。前面１１９ａ及び１１９ｂは、ＸＹ平面と略平行であり、長穴１２０ａ及び１２０ｂはＹ軸方向に平行に延びている位置決め穴である。長穴１２０ａには図２に示す前カバー１０１の位置決めピン１２１ａが挿入され、長穴１２０ｂには位置決めピン１２１ｂが挿入される。これにより、前カバー１０１を上カバーに対してＸ軸方向において位置決めすることができる。
【００３５】
本実施例では、一対の平行に延びる位置決めピン１２１ａ及び１２１ｂを前カバー１０１に設け、長穴１２０ａ及び１２０ｂを上カバー１０３に設けている。しかし、一対の位置決めピンは上カバー１０３と前カバー１０１の一方に設けられ、一対の位置決め穴は上カバー１０３と前カバー１０１の他方に設けられていれば足りる。従って、一対の位置決めピンを上カバー１０３に設け、一対の位置決め穴を前カバー１０１に設けてもよい。
【００３６】
一対の位置決めピン１２１ａ及び１２１ｂと一対の長穴１２０ａ及び１２０ｂは、カメラ本体１００に位置決め及び固定された上カバー１０３に前カバー１０１を係合して前カバー１０１を３軸方向で上カバー１０３に位置決めする第２位置決め手段を構成する。
【００３７】
また、第２位置決め手段は、上カバー１０３と前カバー１０１のそれぞれに設けられ、位置決めピン１２１ａ及び１２１ｂが延びるＺ軸方向に垂直なＸＹ平面として形成されて互いに接触する第１位置決め面を更に有する。ここでは、第１位置決め面は位置決め面１１２ｄ、１１３ｄ、１７０ａ、１７０ｃである。これによって、前カバー１０１を上カバー１０３に対してＺ軸方向に位置決めすることができる。
【００３８】
位置決め部１４９ａ及び１４９ｂは、上カバー１０３の前側の上部に設けられて前方（+Ｚ軸方向）に張り出した張り出し部１４８の両端に設けられ、−Ｙ軸方向に突出している。位置決め部１４９ａ及び１４９ｂは、底面である位置決め面１５０ａ及び１５０ｂを有する。
【００３９】
位置決め面１５０ａ及び１５０ｂは、同一平面の一部を構成するＸＺ平面であり、それぞれ同一の矩形形状を有する。位置決め面１５０ａは、図２に示す前カバー１０１の位置決め面１５１ａに接触し、位置決め面１５０ｂは前カバー１０１の位置決め面１５１ｂに接触する。
【００４０】
上カバー１０３の位置決め部１３１ａ〜１３１ｃは、図２に示すように、上カバー１０３の背面の一部を構成する平板部材である。図２に示すように、位置決め部１３１ａ及び１３１ｂはファインダ接眼窓１４６の両側に位置し、位置決め部１３１ｃは、ファインダ接眼窓１４６の上側に位置する。
【００４１】
位置決め部１３１ａは、位置決め面１３２ａ及び１３２ｂと位置決め穴１３２ｃを有する。位置決め面１３２ａは位置決め部１３１ａの前面であり、位置決め面１３２ｂは位置決め部１３１ａの背面であり、位置決め面１３２ａ及び１３２ｂは平行なＸＹ平面である。位置決め面１３２ａは位置決め部１６５の前面１６５ｂと接触し、位置決め面１３２ｂは位置決め部１７９ａの位置決め面１８０ａと接触する。位置決め穴１３２ｃは、Ｚ軸方向に平行に延びて、内面がネジ切りされていてもよく、ビス１６８ｄが挿入される。位置決め穴１３２ｃは、背面カバー１０２の貫通孔１５６ａと位置決め部１７９ａの中央貫通孔１８０ｂにＺ軸方向において整列している。
【００４２】
位置決め部１３１ｂは、位置決め面１３３ａ及び１３３ｂと位置決め穴１３３ｃ及び１３３ｄを有する。位置決め面１３３ａは位置決め部１３１ｂの前面であり、位置決め面１３３ｂは位置決め部１３１ｂの背面であり、位置決め面１３３ａ及び１３３ｂは平行なＸＺ平面である。位置決め面１３３ａは位置決め部１６６の前面１６６ｂと接触し、位置決め面１３３ｂは位置決め部１７９ｂの位置決め面１８０ｃと接触する。
【００４３】
位置決め穴１３３ｃは、Ｚ軸方向に平行に延びて、内面がネジ切りされていてもよく、ビス１６８ｅが挿入される。位置決め穴１３３ｃは、背面カバー１０２の貫通孔１５６ｂと位置決め部１７９ｂの中央貫通孔１８０ｄにＺ軸方向において整列している。位置決め穴１３３ｄは、円筒形状を有し、図１（ａ）に示す背面カバー１０２の位置決めピン１３０ａが挿入される。
【００４４】
位置決め部１３１ｃは円筒形状の位置決め穴１３４を有する。位置決め穴１３４は、Ｚ軸方向に平行に延びて、図１（ａ）に示す背面カバー１０２の位置決めピン１３０ｂが挿入される。
【００４５】
位置決め穴１３３ｄと１３４のそれぞれの中心を結ぶ線は、Ｙ軸方向及びＹ軸方向のいずれに対しても傾斜している。これにより、背面カバー１０２を、上カバー１０３に対してＸ軸方向とＹ軸方向において位置決めすることができる。
【００４６】
前カバー１０１は、カメラ本体１００の前側に固定される外装部材である。前カバー１０１は、中央にはカメラ本体１００のマウント部１９０が挿入される貫通孔１５２が形成され、裏面にはＹ軸方向にほぼ垂直なリブ１５１が形成されている。貫通孔１５２の上部にはビス１６８ａ及び１６８ｂが挿入される一対の貫通孔１５３ａ及び１５３ｂが形成されている。また、前カバー１０１は電池ボックス１０６を覆うグリップ部の中央にビス１６８ｃが挿入される貫通孔１５４が形成され、グリップ部と貫通孔１５２を挟んで反対側に貫通孔１５５が形成されている。貫通孔１５３ａ、１５３ｂ、１５４、１５５はネジ切りされていてもよい。
【００４７】
リブ１５１は、カメラ本体１００からポップアップして被写体に照明光を照射するカメラ内蔵型ストロボユニットの一部を収納する。リブ１５１には、Ｘ軸方向の両側に位置決め面１５１ａ及び１５１ｂが形成されている。また、前カバー１０１は、裏面から突出して−Ｚ軸方向に延びる円筒形状の一対の位置決めピン１２１ａ及び１２１ｂ、一対の位置決め部１６９ａ及び１６９ｂを有する。
【００４８】
位置決めピン１２１ａ及び１２１ｂは、貫通孔１５２の上部に設けられてＹ軸方向に並んでいる。位置決めピン１２１ａ及び１２１ｂを上カバー１０３に形成された長穴１２０ａ及び１２０ｂに挿入され、これにより前カバー１０１は上カバー１０３に対してＹ軸方向において位置決めされる。
【００４９】
一対の位置決めピン１２１ａ及び１２１ｂは光軸（Ｚ軸方向）に垂直な２方向のうちの一方の方向であるＸ軸方向において前カバー１０１を上カバー１０３に位置決めしている。このため、光軸（Ｚ軸方向）に垂直な２方向のうちの他方の方向であるＹ軸方向において前カバー１０１を上カバー１０３に位置決めする必要がある。
【００５０】
そこで、上述の第２位置決め手段は、上カバー１０３と前カバー１０１のそれぞれにＹ軸方向に垂直に形成されたＸＺ平面であって、互いに接触する第２位置決め面を更に有する。ここでは、第２位置決め面は位置決め面１５０ａ、１５０ｂ、１５１ａ、１５１ｂである。位置決め面１５１ａ及び１５１ｂが上カバー１０３の位置決め面１５０ａ及び１５０ｂに接触することにより、前カバー１０１は上カバー１０３に対してカメラの上下方向（特に、＋Ｙ軸方向）において位置決めされる。
【００５１】
一対の位置決め部１６９ａ及び１６９ｂは、前カバー１０１の裏面において一対の位置決めピン１２１ａ及び１２１ｂの下に形成されている中空円盤部材である。位置決め部１６９ａは、位置決め面１７０ａと、貫通孔１５３ａに接続してＺ軸方向に延びる中央貫通孔１７０ｂと、を有する。位置決め部１６９ｂは、位置決め面１７０ｃと、貫通孔１５３ｂに接続してＺ軸方向に延びる中央貫通孔１７０ｄと、を有する。
【００５２】
位置決め面１７０ａ及び１７０ｃは、上カバー１０３の位置決め部１１２及び１１３の位置決め面１１２ｄ面１１３ｄに接触する。これにより、前カバー１０１を上カバー１０３に対してカメラの光軸方向（特に、−Ｚ軸方向）において位置決めすることができる。
【００５３】
前カバー１０１はビス１６８ａ〜１６８ｄでＺ軸方向にカメラ本体１００と締結される。ビス１６８ａ〜１６８ｄは、上カバー１０３に位置決めされた前カバー１０１を、上カバー１０３を介してカメラ本体１００に固定する第２固定手段として機能する。
【００５４】
ビス１６８ａは、貫通孔１５３ａ及び１７０ｂと１１２ｄを介して、固定部１１０のネジ穴１１０ａに締結される。ビス１６８ｂは、貫通孔１５３ｂ及び１７０ｄと１１３ｄを介して、固定部１１１のネジ穴１１１ａに締結される。ビス１６８ｃは、貫通孔１５４を介して、固定部１０７のネジ穴１０７ａに締結される。ビス１６８ｄは、貫通孔１５５を介して、シャーシ部材１０５の固定部１４３のネジ穴１４３ａに締結される。
【００５５】
第１位置決め面である位置決め面１１２ｄ、１１３ｄ、１７０ａ、１７０ｃは、ビス１６８ａ及び１６８ｂによる固定位置（中央貫通孔１７０ｂ及び１７０ｄの位置）に隣接して設けられる。これにより、位置決め精度を高めることができる。
【００５６】
なお、本実施例は、前カバー１０１の上カバー１０３に対するＸ軸方向の位置決めとＹ軸方向の位置決めとを分けている。即ち、位置決めピン１２１ａ及び１２１ｂを後述する位置決めピン１３０ａ及び１３０ｂのように配置しない。これは、マウント部１９０との嵌合による組立性を維持するためである。
【００５７】
背面カバー１０２は、カメラ本体１００の後ろ側に固定される外装部材である。背面カバー１０２は、図１に示すように、裏面から突出してＺ軸方向に延びる円筒形状の一対の位置決めピン１３０ａ及び１３０ｂと、それぞれ貫通孔を有する一対の位置決め部１７９ａ及び１７９ｂと、を有する。また、背面カバー１０２は、図２に示すように、ビス１６８ｄ及び１６８ｅが挿入される一対の貫通孔１５６ａ及び１５６ｂを有する。貫通孔１５６ａは位置決め部１７９ｂの中央貫通孔１８０ｄにＺ軸方向において接続し、貫通孔１５６ｂは位置決め部１７９ａの中央貫通孔１８０ｂにＺ軸方向において接続している。
【００５８】
位置決めピン１３０ａは上カバー１０３の位置決め穴１３３ｄに挿入され、位置決めピン１３０ｂは上カバー１０３の位置決め穴１３４に挿入される。
【００５９】
本実施例では、一対の平行に延びる位置決めピン１３０ａ及び１３０ｂを背面カバー１０２に設け、位置決め穴１３３ｄ及び１３４を上カバー１０３に設けている。しかし、一対の位置決めピンは上カバー１０３と背面カバー１０２の一方に設けられ、一対の位置決め穴は上カバー１０３と背面カバー１０２の他方に設けられていれば足りる。従って、一対の位置決めピンを上カバー１０３に設け、一対の位置決め穴を背面カバー１０２に設けてもよい。
【００６０】
一対の位置決めピン１３０ａ及び１３０ｂと一対の位置決め穴１３３ｄ及び１３４は、位置決め及び固定された上カバー１０３に背面カバー１０２を係合して背面カバー１０２を３軸方向で上カバー１０３に位置決めする第２位置決め手段を構成する。
【００６１】
また、第２位置決め手段は、上カバー１０３と背面カバー１０２のそれぞれに設けられ、位置決めピン１３０ａ及び１３０ｂが延びるＺ軸方向に垂直なＸＹ平面として形成されて互いに接触する第１位置決め面を更に有する。ここでは、第１位置決め面は位置決め面１３２ｂ、１３３ｂ、１８０ａ、１８０ｃである。位置決め面１８０ａは上カバー１０３の位置決め部１３１ａの位置決め面１３２ｂに接触する。位置決め面１８０ｃは上カバー１０３の位置決め部１３１ｂの位置決め面１３３ｂに接触する。これによって、背面カバー１０２を上カバー１０３に対してＺ軸方向に位置決めすることができる。
【００６２】
上述したように、位置決め穴１３３ｄと位置決め穴１３４を結ぶ方向はＸ軸方向とＹ軸方向のいずれに対しても傾斜しているため、背面カバー１０２は、上カバー１０３に対してＸ軸方向とＹ軸方向において位置決めされる。このため、第２位置決め手段は第２位置決め面を有する必要がない。
【００６３】
背面カバー１０２は、ビス１６８ｄ及び１６８ｅでＺ軸方向にカメラ本体１００に締結される。ビス１６８ｄ及び１６８ｅは、上カバー１０３に位置決めされた背面カバー１０２を、上カバー１０３を介してカメラ本体１００に固定する第２固定手段として機能する。
【００６４】
ビス１６８ｄは貫通孔１５６ａ及び１８０ｄと１３２ｃを介して位置決め部１６５のネジ穴１６５ａに締結される。ビス１６８ｅは貫通孔１５６ｂ及び１８０ｂと１３１ｂを介して位置決め部１６６のネジ穴１６６ａに締結される。これにより、背面カバー１０２は、上カバー１０３に対してＸＹＹ軸の３方向に位置決めされた状態で、カメラ本体１００に固定される。
【００６５】
第１位置決め面である位置決め面１３２ｂ、１３３ｂ、１８０ａ、１８０ｃは、ビス１６８ｄ及び１６８ｅによる固定位置（中央貫通孔１８０ｂ及び１８０ｄの位置）に隣接して設けられる。これにより、位置決め精度を高めることができる。
【００６６】
本実施例のカメラでは、上カバー１０３は、カメラ本体１００に対してＸＹＹ軸の各方向を位置決めされた状態でカメラ本体１００に固定される。前カバー１０１と背面カバー１０２は、それぞれが、上カバー１０３に対してＸＹＹ軸の各方向を位置決めされた状態で、上カバー１０３を介してカメラ本体１００に固定される。従って、前カバー１０１、背面カバー１０２及び上カバー１０３の各外装部材は、カメラ本体１００に対してもこれらの外装部材の他の外装部材に対しても位置決めされた状態で組み立てられる。
【００６７】
図３（ａ）は図１に示すカメラの組立状態の斜視図であり、図３（ｂ）は図２に示すカメラの組立状態の斜視図である。図３（ａ）及び図３（ｂ）に示すように、前カバー１０１、背面カバー１０２及び上カバー１０３は、組立バラツキの影響を受けることなく、外装部材同士の合わせ部の隙間や段差を極力小さくすることができる。
【００６８】
なお、本実施例では、カメラ本体１００に位置決め固定された上カバー１０３を介して前カバー１０１及び背面カバー１０２をカメラ本体１００に対して位置決め固定しているが、上カバー１０３の代わりにカメラの底面部を覆う底面カバーを基準としてもよい。
【００６９】
また、位置決めピン１２１ａ及び１２１ｂ、１３０ａ及び１３０ｂは、前カバー１０１及び背面カバー１０２に一体的に形成されてもよいし、別体のピンをカシメまたは接着等して固定してもよい。
【産業上の利用可能性】
【００７０】
撮像装置は、被写体の撮像に適用することができる。
【符号の説明】
【００７１】
１００    カメラ本体
１０１    前カバー
１０２    背面カバー
１０３    上カバー
１２０ａ、１２０ｂ    長穴（位置決め穴）
１３３ｄ、１３４      位置決め穴
１２１ａ、１２１ｂ、１３０ａ、１３０ｂ    位置決めピン
１１２ｄ、１１３ｄ、１３２ｂ、１３３ｂ、１５０ａ、１５０ｂ、１５１ａ、１５１ｂ、１７０ａ、１７０ｃ、１８０ａ、１８０ｃ    位置決め面
【図１】
2011053236.tif 000003
【図２】
2011053236.tif 000004
【図３】
2011053236.tif 000005